(57)【要約】   【課題】ネジや釘等の部品を用いることなくカーテンレールやブラインドハンガーレールを簡単に固定することができるブラケットを提供することを目的とする。  【解決手段】ブラケット本体２は、平板状の頂壁２１と、頂壁２１の一端から下向き略直角に連設される係合部２２と、頂壁２１の反対端から下向き略直角に連設される係合部２３とからなる下向きコの字形に形成し、レール４は、底板４１と、底板４１の一端から上向き略直角に連設される係合部４２と、底板４１の反対端から上向き略直角に連設される係合部４３とからなる上向き凹構造に形成し、係合部４２の上端には上向凹構造の係合用レール４２aを形成し、係合部４３には係合溝部４３ｃが形成するとともに、係合用レール４２aには、下向き凹構造のロッカー３をレール４と平行にスライド可能にした。【選択図】  図１
2006214139.tif 000002
【特許請求の範囲】
【請求項１】
被取付面に固定されるブラケット本体と、前記ブラケット本体に係止固定されるレールとからなるブラケットであって、
前記ブラケット本体は、平板状の頂壁と、前記頂壁の一端から下向き略直角に連設される第一の係合部と、前記頂壁の反対端から下向き略直角に連設される第二の係合部とからなる下向きコの字形に形成され、
前記レールは、底板と、前記底板の一端から上向き略直角に連設される第三の係合部と、前記底板の反対端から上向き略直角に連設される第四の係合部とからなる上向き凹構造に形成され、前記第三の係合部の上端には上向凹構造の係合用レール部が形成され、前記係合用レール部には、下向き凹構造のロッカーが前記係合用レール部と平行にスライド可能に係合されていて、
前記ロッカーを前記ブラケット本体からスライド退避させた状態で、前記ブラケット本体の第二の係合部と前記第四の係合部とを係合させるとともに前記ブラケット本体の前記第一の係合部と前記レールの前記係合用レール部とを係合させて、前記ブラケット本体と前記レールを係合させた後、前記ロッカーを前記ブラケットに当接する位置までスライドさせて前記レールを前記ブラケットに係止することを特徴とするブラケット。
【請求項２】
前記第一の係合部の下端にはブラケット内側向きに略直角に形成される係止爪を連設形成し、前記第二の係合部の下端にはブラケット外側向きに略直角に形成される係止爪を連設形成し、前記係合用レールの前記ロッカーが係止されない端部には前記第一の係止爪と係合する係止爪が前記係合用レール内向き略直角に形成され、前記第四の係合部には前記第二の係合部の係止爪と係合する係合溝部が形成されるとともに、前記係合用レール部のレール幅は、前記ブラケット本体と前記レールとを係合させた状態において前記ロッカーを退避を退避させると前記係合用レールのレール幅方向に遊び幅を有し、且つ、前記ロッカー前記をブラケット本体に当接する位置までスライドさせると前記レールを係止できる幅に形成されていることを特徴とする請求項１に記載のブラケット。
【請求項３】
前記請求項１および請求項２に記載のレールはブラインドやロールカーテンを支持するハンガーレールであること特徴とするブラケット。
【請求項４】
前記請求項１および請求項２に記載のレールはカーテンレールであることを特徴とするブラケット。
【発明の詳細な説明】
【技術分野】
【０００１】
本発明は、ブラインドのハンガーレールやカーテンレールを天井や窓枠、あるいは側壁面等の被取り付け面に取り付けるためのブラケットに関し、特に、上記ハンガーレールやカーテンレールをネジや釘などを用いることなく簡単に着脱可能なブラケットに関する。
【背景技術】
【０００２】
従来、ネジ等を用いることなく、ブラインドのハンガーレールや、カーテンレールを壁面や窓枠等に取り付けるためのブラケットとしては、例えば、特許文献１や特許文献２に示すものがある。
【０００３】
特許文献１に開示されているのは、カーテンレール固定用のブラケットである。
このカーテンレール用ブラケットは、特許文献１の図１〜図３に示されるように、ステンレスや鋼板等の金属板をプレス加工してT字型のブラケット本体を形成し、ブラケットの後端側には窓枠の垂直取り付け面に固定する垂直取り付け部を形成し、ブラケット本体の前端側には、カーテンレールの長手側上面部に対して固定される鉤形の水平取り付け部を有している。この水平取り付け部の前端側にはカーテンレールを係止する係止爪が形成され、水平取り付け部の各支持片の間には、係止部材が挟み込まれていて、この係止部材が、コイルスプリングにより付勢されている。
【０００４】
上記ブラケットにカーテンレールを係止させる場合には、特許文献１の図３および図４に示すように、ブラケット本体の前端側に形成された係止爪にカーテンレールの一端側上端部を係止し、ブラケット本体の他端側上端部を係止しながら仮止め固定し、カーテンレールの位置をスライド調節した後、コイルスプリングの付勢に抗して、コイルスプリングの係止部材の本止め爪にカーテンレール他端側上縁部を強制的に係止し、本止めをするという二重止めの構造となっている。
【０００５】
また、特許文献２にはブラインドのハンガーレールを固定するためのブラケットが開示されている。
【０００６】
このブラインド用ブラケットは、金属の板体を曲げ加工して、ブラケット下端面にブラインドハンガーの上面が係止されるように形成されている。特許文献２の図１に示されるように、ブラケット本体に対して扇動可能な後係止部材と前係止部材と、この２つの係止部材に回動可能に支持される操作部材と、後係止部材とブラケット本体との間に介挿されて係止部材が互いに接近するように付勢する弾性部材からなっている。
【０００７】
上記ブラケットにブラインドのハンガーレールを係止させる場合は、特許文献２の図５に示されているように、ハンガーレールを上方へと移動させて当接し、係止部に嵌め込むように押し上げると、付勢された係止部材によりカーテンハンガーレールは挟持されるとともに、ブラケット側の係合部とハンガーレール側の係合部とが係合して固定される。
【０００８】
これら特許文献１および特許文献２に記載のブラケットは、カーテンレールやブラインドのハンガーレールを、ネジや釘等の部品を用いることなく固定することのできるブラケットである。しかし、上述のように特許文献１および特許文献２に記載のブラケットは、レールをワンタッチ止めするために種々の部品を用いて構成されており、非常に複雑な構造となっている。よって、ブラケットを製造するために用いる部品点数が多く組立てが煩雑となる。また、外側から見える凹凸部が多く、見栄えがよくないばかりか、部品の溝に埃が溜まるという問題があった。
【特許文献１】特開平8-275862号公報
【特許文献２】特開2003-232177号公報
【発明の開示】
【発明が解決しようとする課題】
【０００９】
本願発明は上記観点に鑑みてなされたものであって、ネジや釘等の部品を用いることなくカーテンレールやブラインドハンガーレールを簡単に固定することができるブラケットを提供することを目的とする。また、部品点数が少なく組立てが簡単で、ブラケット内に外方から埃が入りにくく、美観に優れたブラケットを提供することを目的とする。
【課題を解決するための手段】
【００１０】
本願発明の構成の第一は、被取り付け面に固定されるブラケット本体と、前記ブラケット本体に係止固定されるレールとからなるブラケットであって、
前記ブラケット本体は、平板状の頂壁と、前記頂壁の一端から下向き略直角に連設される第一の係合部と、前記頂壁の反対端から下向き略直角に連設される第二の係合部とからなる下向きコの字形に形成され、
前記レールは、底板と、前記底板の一端から上向き略直角に連設される第三の係合部と、前記底板の反対端から上向き略直角に連設される第四の係合部とからなる上向き凹構造に形成され、前記第三の係合部の上端には上向凹構造の係合用レール部が形成され、前記係合用レール部には、下向き凹構造のロッカーが前記係合用レール部と平行にスライド可能に係合されていて、
前記ロッカーを前記ブラケット本体からスライド退避させた状態で、前記ブラケット本体の第二の係合部と前記第四の係合部とを係合させるとともに前記ブラケット本体の前記第一の係合部と前記レールの前記係合用レール部とを係合させて、前記ブラケット本体と前記レールを係合させた後、前記ロッカーを前記ブラケットに当接する位置までスライドさせて前記レールを前記ブラケットに係止することを特徴とする。
【００１１】
本願発明の構成の第二は、前記第一の係合部の下端にはブラケット内側向きに略直角に形成される係止爪を連設形成し、前記第二の係合部の下端にはブラケット外側向きに略直角に形成される係止爪を連設形成し、前記係合用レールの前記ロッカーが係止されない端部には前記第一の係止爪と係合する係止爪が前記係合用レール内向き略直角に形成され、前記第四の係合部には前記第二の係合部の係止爪と係合する係合溝部が形成されるとともに、前記係合用レール部のレール幅は、前記ブラケット本体と前記レールとを係合させた状態において前記ロッカーを退避させると前記係合用レールのレール幅方向に遊び幅を有し、且つ、前記ロッカー前記をブラケット本体に当接する位置までスライドさせると前記レールを係止できる幅に形成されていることを特徴とする
【００１２】
本願発明の構成の第三は、前記レールはブラインドやロールカーテンを支持するハンガーレールであること特徴とする。
【００１３】
本願発明の構成の第四は、前記レールはカーテンレールであることを特徴とする。
【発明の効果】
【００１４】
請求項１及び請求項２に記載の発明によれば、ブラケット本体の係合部にレールの係合部を係合させた状態で、前記レールにスライド可能に係合されたロッカーをスライドするだけで、前記ブラケット本体に前記レールを簡単に取り付けることができる。
【００１５】
さらに、レール側に特別な係合用部品を設ける必要がないので、レールを横方向どの位置であってもブラケット本体に係止することが可能である。よって、レールの位置決めを自由にすることができる。
【００１６】
また、本願発明のブラケットは、ブラケット本体とレールとロッカーの３部品に上述するような係合部と係止爪を設けるだけで、前記レールを簡単にブラケット本体に取り付けられるので、部品点数が少なく組立ても容易である。
【００１７】
さらに、前記レールは下側からブラケット本体を覆う構造であるため、前記ブラケット本体やレール内側に埃が溜まることがない。また、ブラケットの凹凸が外側からは見えない構造であるため美観にも優れている。
【発明を実施するための最良の形態】
【００１８】
本願発明の実施の形態を図を用いて説明する。図１乃至図４は、本願発明の第一の実施の形態を示すブラケットであって、ブラインドやロールカーテンのハンガーレール固定用のブラケットである。図１は、ブラケットの上方向からの斜視図、図２は上側平面図、図３は、図１に示すブラケットのＡ−Ａ線断面図、図４は、下方向からの斜視図である。
【００１９】
ブラケット１は、窓枠などに固定されるブラケット本体２と、ブラケット本体２に係合させた状態で、スライド式のロッカー３により係止されるハンガーレール４とで構成されている。尚、説明の便宜上ロッカー３固定側を部屋側、反対側を窓側とする。
【００２０】
ブラケット本体２は、図１乃至図３に示すように、ハンガーレール４の内側に収まる程度の大きさに形成された平板状の頂壁２１と、頂壁２１の部屋側と窓側の両端部から下向き直角に連設される係合部からなっている。係合部は、第一の係合部としてのブラケット本体前係合部２２と第二の係合部としてのブラケット本体後係合部２３からなっていて、ブラケット本体２は、図３に示すように下向きコの字型に形成されている。
【００２１】
頂壁２１中央部には取り付け孔２１aが形成されていて、この取り付け孔２１aを挿通するビスなどの固定部品により、窓枠や天井にブラケット本体２を固定することができるようになっている。
【００２２】
ブラケット本体前係合部２２の下端には、係止爪２２aが形成されている。係止爪２２aは垂直に伸びるブラケット本体前係合部２２の下端からブラケット本体２内側（窓側）向き直角に連設形成されていて、前係合部２２全体はコの字型になっている。
【００２３】
ブラケット本体後係合部２３の下端には、係止爪２３aが形成されている。係止爪２３aは垂直に伸びるブラケット本体後係合部２３の下端からブラケット本体２外側（窓側）向き直角に連設形成されていて、後係合部２３全体は乙字型になっている。
【００２４】
一方、ハンガーレール４は、窓枠にあった所定の長さのレール状に形成されている。このハンガーレール４は、下面に不図示のブラインドやロールカーテンを支持する底板４１と、底板４１の部屋側と窓側の両端部から上向きに連設される係合部からなっている。係合部は、第三の係合部としてのハンガーレール前係合部４２と第四の係合部としてのハンガーレール後係合部４３からなっていて、図３に示すように、ハンガーレールの断面は上向き凹構造になっていて、後述するようにブラケット本体に取り付けた状態でブラケット本体を覆うカバーとして機能するようになっている。
【００２５】
ハンガーレール前係合部４２の上端には、上向き凹構造の係合用レール部４２aが形成されていて、この係合用レール部４２aはロッカー３のスライドレールとして機能する。レール幅は、後述のレール取り付け時において、ブラケット本体２と前係合部２２とを係合させた状態では、レール幅方向に遊びがあり、且つ、ロッカー３をブラケット本体２の当接する位置までスライドさせた状態ではレール４２a幅方向に遊びがなくロッカー３により、レール４が係止される構造に形成されている。
【００２６】
さらに、係合用レール部４２aの両端は内向き直角の折り曲げ鉤構造になっていて、ハンガーレール４内側（窓側）には、ブラケット本体前係合部２２の係止爪２２aと係合する係止爪４２ｂが、反対端（部屋側）には、ロッカー３と係合する係合爪４２ｃが形成されている。
【００２７】
ハンガーレール後係合部４３の内側中間部には、ブラケット本体２の係止爪２３aを受ける受け台４３aと係止爪４３ｂからなる係合溝部４３ｃが形成されていて、この係合溝部４３ｃにブラケット本体後係合部２３の係合爪２３aが係合するようになっている。
【００２８】
尚、本実施の形態において、このハンガーレール４の下面は全体として丸みを帯びていて洗練されたデザインとなっており、ハンガーレール４がブラケット本体２全体を覆うので、美観にも優れ、窓枠や天井との隙間もなく内部に埃が入らない構造になっている。
【００２９】
ハンガーレール４の前係合部４２の係合爪４２ｃには、係合爪４２ｃに沿ってハンガーレールと平行にスライド可能にロッカー３が係合されている。
【００３０】
ロッカー３は、図１乃至図３に示すように、下向き凹型に形成されていて、係合爪４２ｃと凹溝３１が係合して横方向にのみスライドするようになっている。  
【００３１】
さらに、図２に示すように、ロッカー３のブラケット本体前係合部２２側面と当接する面には、ロッカー３外側に付勢される係止突起３２a、３２ｂが形成されていて、後述するようにロッカー３をスライドさせることでブラケット本体２がこの係止突起３２a、３２ｂの間に収まって係止されるようになっている。
【００３２】
尚、ロッカー３の部屋側の側面には、波型の滑り止め３３が形成されている。本実施の形態においては、ロッカー３をスライドさせて係止することが容易であるため、ロッカー３が固定された側が、操作者から見て手前側、即ち部屋側にくるように設計されている。しかし、ロッカー３が見えないように、ロッカー３固定側を窓側に配置するように取り付けてもよい。
【００３３】
ブラケット本体２へのハンガーレール４の取り付け方を説明する。
【００３４】
窓枠上部または、天井に固定されたブラケット本体２に対して、ハンガーレール４を下方から近接させる。このとき、ハンガーレール４に係合しているロッカー３は、ブラケット本体２と当接しない位置にスライドさせて退避させておく。
【００３５】
まず、受け台４３a上に当接するブラケット本体後係合部２３の係合爪２３aを窓側へ滑らせるようにしてハンガーレールの係合用溝部４３ｃと係合させる。これにより同時に、ブラケット本体前係合部２２の係合爪２２aとハンガーレール４の係合爪４２ｂも係合する。よって、ブラケット本体２とハンガーレール４は係合状態になる。
【００３６】
この状態で、スライド退避させておいたロッカー３をブラケット近傍の位置までスライドさせる。さらに、ロッカー３をスライドさせながらロッカー３がブラケット本体２に当接し、ブラケット本体２が係止突起３２a、３２ｂの間に収まるまで移動させる。
【００３７】
すると、係合用レール部４２aには、ブラケット本体２とレール４が相対的に幅方向へスライドする遊び幅がなくなるので、ブラケット本体２とハンガーレール４の係合が固定され、しっかりと係止される。よって、ブラケット本体２にハンガーレール４がしっかりと固定される。
【００３８】
図５は、本願発明の第二の実施の形態であって、カーテンレール固定用のブラケット１１の斜視図である。
【００３９】
カーテンレール固定用のブラケット１１のブラケット本体２、ロッカー３の構造は、第一の実施の形態におけるハンガーレール固定用ブラケット１の構造と同じであるため説明を省略する。さらに、カーテンレールの係合部の構造もハンガーレール４の構造と同じであるためその説明を省略し、特徴のあるレール底板の形状のみを説明する。
【００４０】
カーテンレール固定用ブラケット１１のカーテンレール５は、図５に示すように、底板５１にカーテンレール５の長手方向と平行に、不図示のカーテンランナー係合用の下向き凹溝５１aが形成されている。この凹溝５１aの両下端部には水平方向へ伸びるランナーフランジ係合用の横溝５１ｂおよび５１ｃが形成されていて、この横溝５１ｂ、５１ｃに、不図示のカーテンランナーのフランジが嵌合して、カーテンレールと平行にスライド可能になっている。
【００４１】
尚、ブラケット本体２への取り付け方は、前記第一の実施の形態におけるハンガーレールの場合と同様である。
【００４２】
さらに、カーテンレール５はシングルレールであるが、凹溝を2本設けて、ダブルレールのカーテンレールとしてもよい。
【００４３】
本願発明の第一の実施の形態および第二の実施の形態においては、ブラインドやカーテンを固定するためのブラケットを例に説明したが、レール下面に固定されるものはブラインドやカーテンに限られるものではなく。例えば、ピクチャーレールでもよいし、スクリーン等種々の幕体であってもよい。
【００４４】
また、ここでは、ブラケットを窓枠に取り付ける例により説明したが、ブラケットが取り付けられる被取り付け面は窓枠でなく天井や梁などの水平面、あるいは側壁面などであっても良い。
【図面の簡単な説明】
【００４５】
【図１】本願発明の第一の実施の形態を示す、ハンガーレール用ブラケットの上方向斜視図。
【図２】図１に示すブラケットの上方向平面図。
【図３】図１に示すブラケットのA-A線における断面図。
【図４】図１に示すハンガーレールの下方向斜視図。
【図５】本願発明の第二の実施の形態を示す、カーテンレール用ブラケットの上方向斜視図。
【符号の説明】
【００４６】
１    ハンガーレール用ブラケット
１１  カーテンレール用ブラケット
２    ブラケット本体
２１  ブラケット本体頂壁
２１a 取り付け孔
２２  ブラケット本体前係合部
２２a 係止爪
２３  ブラケット本体後係合部
２３a 係止爪
３    ロッカー
３１  ロッカー凹溝
３２a 係止突起  
３２b 係止突起
３３  滑り止め
４    ハンガーレール
４１  ハンガーレール底板
４２  ハンガーレール前係合部
４２a 係合用レール部
４２b 係止爪
４２c 係合爪
４３  ハンガーレール後係合部
４３a 受け台
４３b 係止爪
４３c 係合溝部
５    カーテンレール
５１  カーテンレール底板
５１a カーテンランナー係合用凹溝
５１b ランナーフランジ係合用横溝
５１c ランナーフランジ係合用横溝
【図１】
2006214139.tif 000003
【図２】
2006214139.tif 000004
【図３】
2006214139.tif 000005
【図４】
2006214139.tif 000006
【図５】
2006214139.tif 000007